(57)【要約】      （修正有）【課題】充填材を用いずにカートリッジヒーターと金属製ブロックとを十分に熱接触させ、カートリッジヒーターの過度の温度上昇を抑制することができるヒーターユニットを提供する。【解決手段】ヒーターユニット１は、発熱部７を有するカートリッジヒーター３と、カートリッジヒーター３により加熱される金属製ブロック５と、を備えるものであって、金属製ブロック５は、発熱部７が挿入されるヒーター挿入部９と、ヒーター挿入部９に挿入された発熱部７を内壁に押し付けるヒーター押付部材１１が挿入される押付部材挿入部１３とを有する孔部１５を備え、ヒーター押付部材１１は、周壁に切欠き部１７ａが形成されて拡径可能な筒状の筒状楔子１７と、筒状楔子１７を拡径する楔子拡径部材１９と、を有し、筒状楔子１７が楔子拡径部材１９を挿入されて拡径することで、発熱部７が押圧されて孔部１５の内壁に押し付けられている。【選択図】図１
2020009689.tif 000002
【特許請求の範囲】
【請求項１】
発熱体が金属管で覆われた発熱部を有するカートリッジヒーターと、該カートリッジヒーターの発熱部が挿入されて加熱される金属製ブロックと、を備えるヒーターユニットであって、
前記金属製ブロックは、前記発熱部が挿入されるヒーター挿入部と、該ヒーター挿入部に挿入された前記発熱部を内壁に押し付けるヒーター押付部材が挿入される押付部材挿入部とを有する孔部を備え、
前記ヒーター押付部材は、周壁を切り欠いた切欠き部が少なくとも一つ形成されて拡径可能な筒状の筒状楔子と、該筒状楔子に挿入されて該筒状楔子を拡径する楔子拡径部材と、を有し、
該楔子拡径部材が前記筒状楔子に挿入されて該筒状楔子が拡径し、該拡径した筒状楔子が前記発熱部を押圧し、該発熱部が前記孔部の内壁に押し付けられていることを特徴とするヒーターユニット。
【請求項２】
前記発熱部と前記筒状楔子は、外周面に弧状面部を有し、前記ヒーター挿入部と前記押付部材挿入部には、前記発熱部と前記筒状楔子の弧状面部に沿う湾曲面部が形成されていることを特徴とする請求項１記載のヒーターユニット。
【請求項３】
前記筒状楔子は、内面に雌ねじが形成された雌ねじ部を有すると共に、前記発熱部を押圧する部位に平面部を備えてなり、
前記楔子拡径部材は、前記筒状楔子の雌ねじ部に螺合して前記筒状楔子を拡径する雄ねじ部を備えてなり、
前記孔部は、前記発熱部と前記筒状楔子を挿入して該筒状楔子の雌ねじ部に前記楔子拡径部材の雄ねじ部を螺合するときに、前記平面部が前記発熱部に当接して前記筒状楔子が回り止めされる孔径に設定されていることを特徴とする請求項１又は２記載のヒーターユニット。
【請求項４】
前記筒状楔子は、前記平面部における前記楔子拡径部材が挿入される挿入開始端側に、表面が凹んだ段差部を有し、
該段差部は、前記発熱部と前記筒状楔子を前記孔部に挿入し、かつ該筒状楔子の前記挿入開始端側のみに前記楔子拡径部材が螺合されている状態において、前記発熱部を押圧しないように形成されていることを特徴とする請求項３記載のヒーターユニット。
【請求項５】
前記楔子拡径部材は、先端側に縮径部を有し、該縮径部のみが前記筒状楔子に螺合されている状態において、該筒状楔子は拡径しないことを特徴とする請求項３又は４に記載のヒーターユニット。
【請求項６】
真空環境下で使用されることを特徴とする請求項１乃至５のいずれか一項に記載のヒーターユニット。
【発明の詳細な説明】
【技術分野】
【０００１】
本発明は、カートリッジヒーターが金属製ブロックに挿入されたヒーターユニットに関する。
【背景技術】
【０００２】
小型冷凍機を用いた低温機器では、内部温度の調整のために、ヒーターを金属製ブロックに挿入したヒーターユニットを使用することが多く、必要とされる出力の大きさ、変化させる温度範囲（例えば-270℃〜+200℃）、施工環境（例えば、要求される真空度）、金属製ブロックの形状などによって、ヒーターの種類や、ヒーターと金属製ブロックとの取り付け方法を工夫してヒーターユニットの施工を行っている。
【０００３】
このようなヒーターユニットに用いられるヒーターの種類としては、例えば、フィルム状ヒーター、カートリッジヒーターがある。
フィルム状ヒーターは、金属製ブロックとの熱接触を向上させるため、充填材としてスタイキャスト等の樹脂を充填したり、グリース、インジウム等の柔らかい金属板を入れる等が行われている。しかしながら、高真空以上が要求される場合や昇温させる上限温度が高い場合においては、上記の樹脂や金属板の使用が制限される場合もある。また、高出力を必要とする場合にはフィルム状ヒーターのサイズを大きくすることを要し、施工上の困難さも大きくなる。さらには、極低温から高温までの温度変化を繰り返す中でフィルム状ヒーターと金属製ブロックとの接触状態が悪くなることもある。
【０００４】
そこで、高出力が必要で、設置環境が許せば、比較的信頼性が高く施工も容易なカートリッジヒーターを使用することが多い。
カートリッジヒーターを使用したヒーターユニットにおいては、大気中や液体中では、仕様上推奨されるクリアランスで金属製ブロックに空けた挿入孔にカートリッジヒーターを挿入することにより問題なく使用することができる。また、カートリッジヒーターと挿入孔との隙間にグリースやスタイキャスト等の充填材を入れることで熱接触を向上させて使用することが多い。
【０００５】
例えば、特許文献１には、カートリッジ型ヒーターを型部材に取付けるに当たり、当該型部材にカートリッジ型ヒーターよりもわずかに大きい直径の長穴を穿け、該長穴内にカートリッジ型ヒーターを挿入するとともに、前記長穴内のヒーターのまわりに形成された空隙に導伝材料を充填する技術が開示されている。
【０００６】
また、カートリッジヒーターと挿入孔との隙間に充填材が使用できない場合では、空間が許せば金属製ブロックでヒーターを挟み込みネジで固定するような方法で取り付けると信頼性は高くなる。しかしならが、空間等の制約でカートリッジヒーターを挟み込む構造にできない場合や、挿し込みでの施工で隙間に入れる充填材の融点以上に温度を上げる必要がある場合、あるいは、要求される真空度により充填材が使えない場合がある。
そこで、金属製ブロックにできる限りカートリッジヒーターの直径に近い大きさの挿入孔を設け、当該挿入孔に充填材を用いずにカートリッジヒーターを挿し込むような施工がされたヒーターユニットが用いられている。
【先行技術文献】
【特許文献】
【０００７】
【特許文献１】特開昭５８−１８５２１０号公報
【発明の概要】
【発明が解決しようとする課題】
【０００８】
上述のとおり、小型冷凍機を用いた低温機器においては、内部温度の調整のためにヒーターユニットを使用することが多いが、温度制御範囲が-270℃から+200℃と広い場合があること、通常、ヒーターユニットは真空中に設置されるため、ヒーターユニットの施工方法が悪いと加熱対象に効率的に熱を伝えることができず、カートリッジヒーター自身の温度が過度に上昇しすぎることで、寿命の減少や焼き切れ等のトラブルが発生し、品質管理上の問題があった。
【０００９】
このようなトラブルは、金属製ブロックに設けた挿入孔にカートリッジヒーターを単に挿入したヒーターユニットにおいては、長期間使用すると、カートリッジヒーターに断線が発生する事象に起因するものであった。例えば、ヒーターユニットを制御する温度を最大200℃とし、カートリッジヒーターの推奨温度（表面）約800℃からは十分に低い条件で使用しても、上記事象が発生する場合があった。この発生原因は、金属製ブロックの挿入孔にカートリッジヒーターを差し込む施工では、カートリッジヒーターと金属製ブロックとの間で十分な熱接触が取れず、通電時にカートリッジヒーターの発熱体であるヒーター線（例えば、ニクロム線）の温度が過度に高くなり過ぎたためであった。
【００１０】
したがって、充填材を使用しない場合であってもカートリッジヒーターと金属製ブロックとの間に十分な熱接触を取り、真空環境下で長期間使用しても、通電時にカートリッジヒーターの発熱部の温度が適正となるヒーターユニットが望まれていた。
【００１１】
本発明は、上記のような課題を解決するためになされたものであり、充填材を用いずにカートリッジヒーターと金属製ブロックとの間に十分な熱接触が得られるヒーターユニットを提供することを目的とする。
【課題を解決するための手段】
【００１２】
（１）本発明に係るヒーターユニットは、発熱体が金属管で覆われた発熱部を有するカートリッジヒーターと、該カートリッジヒーターの発熱部が挿入されて加熱される金属製ブロックと、を備えるものであって、前記金属製ブロックは、前記発熱部が挿入されるヒーター挿入部と、該ヒーター挿入部に挿入された前記発熱部を内壁に押し付けるヒーター押付部材が挿入される押付部材挿入部とを有する孔部を備え、前記ヒーター押付部材は、周壁を切り欠いた切欠き部が少なくとも一つ形成されて拡径可能な筒状の筒状楔子と、該筒状楔子に挿入されて該筒状楔子を拡径する楔子拡径部材と、を有し、該楔子拡径部材が前記筒状楔子に挿入されて該筒状楔子が拡径し、該拡径した筒状楔子が前記発熱部を押圧し、該発熱部が前記孔部の内壁に押し付けられていることを特徴とするものである。
【００１３】
（２）上記（１）に記載のものにおいて、前記発熱部と前記筒状楔子は、外周面に弧状面部を有し、前記ヒーター挿入部と前記押付部材挿入部には、前記発熱部と前記筒状楔子の弧状面部に沿う湾曲面部が形成されていることを特徴とするものである。
【００１４】
（３）上記（１）又は（２）に記載のものにおいて、前記筒状楔子は、内面に雌ねじが形成された雌ねじ部を有すると共に、前記発熱部を押圧する部位に平面部を備えてなり、前記楔子拡径部材は、前記筒状楔子の雌ねじ部に螺合して前記筒状楔子を拡径する雄ねじ部を備えてなり、前記孔部は、前記発熱部と前記筒状楔子を挿入して該筒状楔子の雌ねじ部に前記楔子拡径部材の雄ねじ部を螺合するときに、前記平面部が前記発熱部に当接して前記筒状楔子が回り止めされる孔径に設定されていることを特徴とするものである。
【００１５】
（４）上記（３）に記載のものにおいて、前記筒状楔子は、前記平面部における前記楔子拡径部材が挿入される挿入開始端側に、表面が凹んだ段差部を有し、該段差部は、前記発熱部と前記筒状楔子を前記孔部に挿入し、かつ該筒状楔子の前記挿入開始端側のみに前記楔子拡径部材が螺合されている状態において、前記発熱部を押圧しないように形成されていることを特徴とするものである。
【００１６】
（５）上記（３）又は（４）に記載のものにおいて、前記楔子拡径部材は、先端側に縮径部を有し、該縮径部のみが前記筒状楔子に螺合されている状態において、該筒状楔子は拡径しないことを特徴とするものである。
【００１７】
（６）上記（１）乃至（５）のいずれかに記載のものにおいて、真空環境下で使用されることを特徴とするものである。
【発明の効果】
【００１８】
本発明においては、充填材を用いずにカートリッジヒーターと金属製ブロックとを十分に熱接触させ、カートリッジヒーターの過度の温度上昇を抑制することができる。
【図面の簡単な説明】
【００１９】
【図１】本発明の実施の形態に係るヒーターユニットの構成を説明する図である（（ａ）上面図、（ｂ）断面図、（ｃ）筒状楔子）。
【図２】本発明の実施の形態に係るヒーターユニットにおいて、カートリッジヒーターの発熱部の径と、筒状楔子の径と、金属製ブロックに設けられた孔部の孔径とが満たす望ましい関係を説明する図である（（ａ）発熱部、（ｂ）筒状楔子、（ｃ）孔部）。
【図３】本発明の実施形態に係るヒーターユニットの構成の他の態様を説明する図である（（ａ）上面図、（ｂ）断面図）。
【図４】本発明に実施の形態に係るヒーターユニットにおけるカートリッジヒーターの配置と筒状楔子の形状を例示する図である。
【図５】本発明の比較対象とした比較例に係るヒーターユニットを説明する図である。
【図６】本発明の実施例に係る実験の装置構成を示す図である。
【図７】本発明の実施例で使用したカートリッジヒーターのヒーター抵抗値と温度の関係を示すグラフである。
【図８】本発明の実施例１に係るヒーターユニットに用いた銅製ブロックの形状を示す図である（（ａ）上面図、（ｂ）Ａ−Ａ断面図）。
【図９】本発明の実施例１に係るヒーターユニットに用いた筒状楔子の形状を示す図である（（ａ）上面図、（ｂ）Ａ−Ａ断面図、（ｃ）斜視図）。
【図１０】本発明の実施例１と比較例に係るヒーターユニットを用いた実験で得られたヒーター抵抗値と銅製ブロックの温度変化を示すグラフである。
【図１１】本発明の実施例１に係るヒーターユニットにおいて金属製ブロックとして用いた銅製ブロックの形状を示す図である（（ａ）上面図、（ｂ）Ａ−Ａ断面図）。
【図１２】本発明の実施例３で使用した装置を説明する図である。
【発明を実施するための形態】
【００２０】
本発明の実施の形態に係るヒーターユニット１は、図１に示すように、２つのカートリッジヒーター３と、金属製ブロック５と、を備えるものであって、金属製ブロック５は、２つのカートリッジヒーター３の各発熱部７が挿入される２つのヒーター挿入部９と、ヒーター押付部材１１が挿入される押付部材挿入部１３を有する孔部１５を備え、ヒーター押付部材１１は、筒状楔子１７と楔子拡径部材１９を有するものである。以下、上記の各構成について説明する。
【００２１】
なお、本明細書及び図面において、実質的に同一の機能や構成を有する要素については、同一の符号を付することにより重複説明を省略する。
また、以下の説明で用いる図面は、特徴をわかりやすくするために、便宜上特徴となる部分を拡大して示されている場合があるが、各構成要素の寸法や比率などが実際と同じであるとは限らない。
【００２２】
カートリッジヒーター３は、発熱体が金属管で覆われた発熱部７を有するものであり、発熱部７の端部にはリード線２１が接続されている。カートリッジヒーター３としては、例えば、発熱部７の発熱体にニクロム線を用いたものを用いることができ、リード線２１を介してニクロム線に電流を流すことで発熱部７が発熱される。
【００２３】
金属製ブロック５は、カートリッジヒーター３により加熱されるものであり、カートリッジヒーター３の発熱部７が挿入されるヒーター挿入部９と、ヒーター挿入部９に挿入された発熱部７を内壁に押し付けるヒーター押付部材１１が挿入される押付部材挿入部１３とを有する孔部１５を備えている。
なお、金属製ブロック５は、熱伝導性に優れている金属材料を加工したものが好ましく、特に、純銅を加工した銅製ブロックが好ましい。
【００２４】
ヒーター押付部材１１は、周壁を切り欠いた切欠き部１７ａが形成されて拡径可能な筒状の筒状楔子１７と、筒状楔子１７に挿入されて筒状楔子１７を拡径する楔子拡径部材１９と、を有するものであり、金属製ブロック５の押付部材挿入部１３に挿入されている。
【００２５】
筒状楔子１７は、図１（ｂ）及び（ｃ）に示すように、内面に雌ねじが形成された雌ねじ部１７ｂを有すると共に、カートリッジヒーター３の発熱部７を押圧する部位に平面部１７ｃを備えてなる。
【００２６】
また、楔子拡径部材１９は、図１（ｂ）に示すように、筒状楔子１７の雌ねじ部１７ｂに螺合して筒状楔子１７を拡径する雄ねじ部１９ａを備えてなる。
そして、筒状楔子１７の雌ねじ部１７ｂと楔子拡径部材１９の雄ねじ部１９ａの径は、雄ねじ部１９ａが雌ねじ部１７ｂに螺合され、かつ螺合したときに筒状楔子１７が拡径するように、適宜設定されている。
【００２７】
なお、筒状楔子１７は、図１（ｃ）に示すように、平面部１７ｃにおける楔子拡径部材１９が挿入される挿入開始端１７ｅ側に、表面が径方向内側に凹んだ段差部１７ｆを有し、段差部１７ｆは、発熱部７と筒状楔子１７が孔部１５に挿入され、かつ筒状楔子１７の挿入開始端１７ｅ側のみに楔子拡径部材１９が螺合されている状態において、段差部１７ｆが発熱部７を押圧しないように形成されている。
【００２８】
また、本実施の形態に係るヒーターユニット１において、発熱部７と筒状楔子１７は、図２に示すように、外周面に弧状面部７ａと弧状面部１７ｄをそれぞれ有する。そして、ヒーター挿入部９には、発熱部７の弧状面部７ａに沿うように湾曲面部９ａが形成され、押付部材挿入部１３には筒状楔子１７の弧状面部１７ｄが沿うように湾曲面部１３ａが形成されている。
【００２９】
そして、湾曲面部９ａと湾曲面部１３ａとが形成された孔部１５は、図１及び図２に示すように、ヒーター挿入部９と押付部材挿入部１３をともに丸穴とし、ヒーター挿入部９の丸穴の一部に押付部材挿入部１３の丸穴が重なり、かつヒーター挿入部９の中心と押付部材挿入部１３の中心が一列に配置されるように形成されている。
【００３０】
このように、ヒーター挿入部９と押付部材挿入部１３を丸穴としたとき、それぞれの穴径は、発熱部７と筒状楔子１７の径に合わせて設定すればよく、例えば、発熱部７とヒーター挿入部９との隙間は、カートリッジヒーター３について推奨されているクリアランスにすればよい。
【００３１】
さらに、本実施の形態に係るヒーターユニット１において、ヒーター挿入部９に挿入される発熱部７の直径Ｄ１、押付部材挿入部１３に挿入される筒状楔子１７の長径ｄ１（弧状面部１７ｄにおける直径）及び短径ｄ２（平面部１７ｃにおける直径）、及び孔部１５の孔径Ａは、以下の関係を満たすように設定されている（図２参照）。
２Ｄ１＋ｄ２＜Ａ
Ａ＜２Ｄ１＋ｄ１
【００３２】
次に、本実施の形態に係るヒーターユニット１による作用効果について説明する。
ヒーターユニット１においては、金属製ブロック５の孔部１５におけるヒーター挿入部９と押付部材挿入部１３のそれぞれに、カートリッジヒーター３の発熱部７とヒーター押付部材１１の筒状楔子１７とが挿入されている。
【００３３】
そして、筒状楔子１７の雌ねじ部１７ｂに楔子拡径部材１９の雄ねじ部１９ａを螺合するときに、平面部１７ｃが発熱部７に当接することで筒状楔子１７が回り止めされながら筒状楔子１７が拡径する。これにより、平面部１７ｃが発熱部７を押圧し、発熱部７を孔部１５の内壁に強く押し付けることができるので、発熱部７と内壁との熱接触を向上させることができ、カートリッジヒーター３の発熱部７の温度が過度に上昇することを抑制できる。
【００３４】
このように、ヒーターユニット１は、熱接触を向上させるためにグリース等の充填材を用いなくても、発熱部７と金属製ブロックとの熱接触を向上させることができるので、真空環境下（本発明において、「真空環境」とは、大気圧以下から10-5Pa程度までの高真空のことをいう。）であっても使用することができる。
【００３５】
また、ヒーターユニット１においては、発熱部７、筒状楔子１７及び孔部１５それぞれの寸法が上記のとおり適宜設定されているため（図２参照）、筒状楔子１７の平面部１７ｃにより筒状楔子１７を回り止めしながら、楔子拡径部材１９を筒状楔子１７に螺合させて拡径させることができる。
【００３６】
さらに、ヒーター挿入部９と押付部材挿入部１３のそれぞれに形成した湾曲面部９ａと湾曲面部１３ａは、発熱部７と筒状楔子１７を孔部１５に挿入する際のガイドとなり、所定の位置であるヒーター挿入部９と押付部材挿入部１３に容易に挿入することができる。
【００３７】
また、筒状楔子１７の平面部１７ｃには段差部１７ｆが形成されており、筒状楔子１７と楔子拡径部材１９とが螺合している状態であっても該螺合している部位にて筒状楔子１７を拡径しないようにすることができるため、楔子拡径部材１９を筒状楔子１７に螺合させたまま、筒状楔子１７を孔部１５から取り出すことができる。
【００３８】
これにより、ヒーターユニット１が狭い空間に設置されている場合であっても、筒状楔子１７を引き抜くことができ、カートリッジヒーター３を取り外して交換することができる。なお、この点に関しては、後述する実施例３において実証されている。
【００３９】
なお、上記の説明において、孔部１５は、ヒーター挿入部９の丸穴の一部に押付部材挿入部１３の丸穴が重なる形状のものであったが、本発明は、孔部の形状がこれに限定されるものではなく、発熱部と筒状楔子が挿入され、かつ、筒状楔子の拡径により発熱部が孔部の内壁に押し付けられる形状であればよく、例えば、長穴形状や楕円形状であってもよい。
【００４０】
また、筒状楔子１７は、楔子拡径部材１９が螺合している状態であっても段差部１７ｆにおいては拡径させないようにするものであったが、本発明は、楔子拡径部材１９の先端側に縮径部（図示なし）を有するものとしてもよい。この場合、該縮径部のみが筒状楔子１７の挿入開始端１７ｅ側に螺合している状態において、筒状楔子１７が拡径しないよう当該縮径部の径に形成すればよい。これにより、筒状楔子１７の平面部１７ｃに段差部１７ｆを設けた場合と同様、楔子拡径部材１９を筒状楔子１７に螺合させたまま、筒状楔子１７を孔部１５から取り出すことができる。
【００４１】
さらに、上記の説明は、２本のカートリッジヒーター３により金属製ブロック５を加熱するヒーターユニット１についてのものであったが、本発明は、金属製ブロックを加熱するためのカートリッジヒーターの個数を限定するものではない。例えば、後述する実施例１で示すように、１つのカートリッジヒーターを使用するもの（図３参照）や、図４に示すように、３つ以上のカートリッジヒーターを使用するものであってもよい。複数のカートリッジヒーターを使用する場合においては、金属製ブロックを加熱する際のカートリッジヒーター１個あたりの負荷が小さくなるため、カートリッジヒーターの過熱を防ぎつつ高出力が必要な場合には有効である。
【００４２】
そして、複数のカートリッジヒーターの発熱部７を金属製ブロック５に挿入する場合にあっては、図４に例示するように、筒状楔子１７に設ける切欠き部１７ａの個数と位置を適宜設定してもよい。
【００４３】
図４（ａ）は、４つの発熱部７が正方形の四隅に相当する位置に配置され、その中央に筒状楔子２７が挿入されている場合であり、筒状楔子２７の周壁には周方向に２つの切欠き部２７ａが形成されている。そして、筒状楔子２７が拡径すると、切欠き部２７ａにより２つに分割された周壁の各部位は２つの発熱部７を押圧する。
【００４４】
また、図４（ｂ）は、４つの発熱部７が正方形の四隅に相当する位置に配置され、その中央に筒状楔子２９が挿入されている場合であり、筒状楔子２９の周壁には周方向に４つの切欠き部２９ａが形成されている。そして、筒状楔子２９が拡径すると、切欠き部２９ａにより４つに分割された周壁の各部位は１つの発熱部７を押圧する。
【００４５】
さらに、図４（ｃ）は、３つの発熱部７が正三角形の頂点に相当する位置に配置され、その中央に筒状楔子３１が挿入されている場合であり、筒状楔子３１の周壁には周方向に３つの切欠き部３１ａが形成されている。そして、筒状楔子３１が拡径すると、切欠き部３１ａにより３つに分割された周壁の各部位は、１つの発熱部７を押圧する。
【００４６】
このように、筒状楔子により押圧する発熱部の個数と配置に応じて、筒状楔子の周壁に設ける切欠き部の個数と位置を設定することで、１つの筒状楔子であってもこれを拡径したときに複数の発熱部を均等に押圧することができる。
【００４７】
もっとも、本発明は、複数のカートリッジヒーターの発熱部を１つの筒状楔子で押圧するものに限定されるわけではない。例えば、複数のカートリッジヒーター毎に筒状楔子が設置されているものとしてもよい。
【００４８】
また、筒状楔子１７の周壁に１つの切欠き部を形成する場合にあっては、図１（ｃ）に示すように、楔子拡径部材１９の挿入開始端１７ｅの反対側の端部では周壁がつながったままとなるように切欠き部１７ａが形成されているものに限らず、筒状楔子の軸方向の全長にわたって切り欠いた切欠き部（図示なし）を形成してもよい。
【００４９】
さらには、図４に示すように、周壁の周方向に２つ以上の切欠き部を設けた筒状楔子は、挿入開始端と反対側の端部がつながった切欠き部が形成されたものや、挿入開始端側とその反対側の端部とで互い違いに切欠き部が形成されたものとしてもよい。
【００５０】
なお、筒状楔子の材質としては、真鍮、若しくは銅合金、アルミ合金など、純銅よりも硬く、比較的熱伝導が良いものを選定することが好ましい。これにより、発熱部の伝熱性能を向上させることができる。また、筒状楔子の径は、カートリッジヒーターの発熱部の径と同程度にすることが望ましい。
【００５１】
また、楔子拡径部材の材質としては、SUS304若しくはSUS316などオースティナイト系のものを用いることが好ましい。そして、楔子拡径部材に雄ねじ部を設けた場合、雄ねじ部は筒状楔子の径よりも数ｍｍ程度小さい径とする。
【００５２】
さらに、上記の説明は、楔子拡径部材に設けた雄ねじ部を筒状楔子の雌ねじ部に螺合させて筒状楔子を拡径するものであった。もっとも、先端から手元側に向かって徐々に拡径する棒状の楔子拡径部材を筒状楔子に挿入して該筒状楔子を拡径するものであっても、拡径した筒状楔子により発熱部が押圧されて孔部の内壁に押し付けることができる。この場合、筒状楔子は雌ねじ部を有するものでなくてもよく、楔子拡径部材が雄ねじ部を有する場合において、筒状楔子は雌ねじ部を有するものとすればよい。
【００５３】
また、上記の説明において、筒状楔子１７は発熱部７に当接する部位に平面部１７ｃが設けられたものであったが、本発明は、金属製ブロックの押付部材挿入部に挿入された状態で楔子拡径部材を挿入して筒状楔子を拡径できるものであれば、筒状楔子の外周面に平面部を設けずに発熱部を押圧するものとしてもよい。
【実施例】
【００５４】
本発明に係るヒーターユニットの作用効果を確認するための実験を行ったので、その結果について以下に説明する。
【００５５】
（比較例）
本発明に係るヒーターユニットの比較対象として、図５に示すヒーターユニット３３を用いて実験を行った。
ヒーターユニット３３は、金属製ブロックとして直径φ45mm、全長65mmの銅製ブロック３５に、ヒーター挿入部３７として直径φ9.38mmの穴を開け、ヒーター挿入部３７にカートリッジヒーター３（発熱体：ニクロム線、WATLOW社製ファイヤーロッドカートリッジヒーター、直径φ9.35mm）の発熱部７を挿入して作製したものである。
【００５６】
実験は、図６に示す装置構成で行った。まず、定電流電源装置４１によりカートリッジヒーター３に定電流（＝2A）を連続して印加し、発熱体であるニクロム線の抵抗値（以下、「ヒーター抵抗値」という。）の変化と、銅製ブロック３５の温度を求めた。ヒーター抵抗値は、電圧計４３により測定した電圧と、発熱体に印加した電流から算出し、銅製ブロック３５の温度は、銅製ブロック３５に設置した温度センサー４５の出力を温度表示計４７により測定した。
【００５７】
なお、温度センサー４５により測定される温度は銅製ブロック３５の温度であり、発熱部７の温度とは異なる。また、発熱部７のヒーター抵抗値は、図７に示すように、発熱体であるニクロム線自体の温度により変化する特性を有する。
【００５８】
すなわち、ニクロム線の温度上昇とともにヒーター抵抗値は上昇して約790K（約500℃）近傍で極大値を示し、その後、ヒーター抵抗値は一旦減少して約1070K（約800℃）から再び上昇する。このようなヒーター抵抗値の温度依存性は、ニクロム線自体の特性であり、カートリッジヒーター個体毎の差異は無いと考えられる。
【００５９】
そこで、図６示す装置構成での実験により求めたヒーター抵抗値と、図７に示すヒーター抵抗値とニクロム線温度の関係から、発熱部７の温度を推算した。なお、図７の縦軸に示すヒーター抵抗値は、極大値で規格化したものである。
【００６０】
（実施例１）
本発明に係るヒーターユニットとして、図３に示すヒーターユニット２３を用いて実験を行った。
ヒーターユニット２３は、図８に示すように、直径φ45mm、全長65mmの円筒状の銅製ブロック２５に、ヒーター挿入部９として直径φ9.38mmの丸穴と押付部材挿入部１３として直径φ6mmの丸穴を開け、ヒーター挿入部９にカートリッジヒーター３（発熱体：ニクロム線、WATLOW社製ファイヤーロッドカートリッジヒーター、直径φ9.35mm）を挿入し、かつ、押付部材挿入部１３に図９に示す筒状楔子１７を挿入し、筒状楔子１７を拡径して発熱部７を楔止したものである。
【００６１】
そして、前述の比較例と同様、図６に示す装置構成で実験を行い、定電流電源装置４１によりカートリッジヒーター３に2Aを連続して印加したときのヒーター抵抗値の変化と、銅製ブロック２５の温度を求めた。さらに、求めたヒーター抵抗値から、発熱部７の温度を推算した。
【００６２】
（評価）
比較例１に係るヒーターユニット３３と実施例１に係るヒーターユニット２３を用いた実験により求めた銅製ブロックの温度とヒーター抵抗値の結果を図１０に示す。図１０において、横軸は、カートリッジヒーターの加熱開始からの経過時間、左軸は、極大値で規格化したヒーター抵抗値、右軸は、銅製ブロックの温度である。また、図１０中には、ヒーター抵抗値が極大値及び極小値における発熱部の温度を示している。
【００６３】
図１０に示すように、比較例１（図１０中の○と△のプロット）では、カートリッジヒーター３に定電流を流した後のヒーター抵抗値は、極大値を示し、このときの発熱部の温度は約790K（約520℃）であるのに対し、銅製ブロックの温度は約350K（約80℃）程度であった。また、ヒーター抵抗値は、極大値を示した後は低下して極小値となり、その後、再び上昇した。ヒーター抵抗値が極小値を示したとき、発熱部の温度は約1070K（800℃）であるのに対し、銅製ブロック３５の温度は約580Kであった。これより、発熱部７の温度と銅製ブロック３５の温度との間には約500Kの温度差が生じ、発熱部７と銅製ブロック３５との間で十分な熱接触が得られていないことを示している。
【００６４】
一方、実施例１（図１０中の●、▲のプロット）では、ヒーター抵抗値が極大値を示すときの発熱部の温度は790K程度であるのに対し、銅製ブロックの温度が約550Kであった。この結果から、実施例１では、筒状楔子１７により発熱部７が孔部１５の内壁を押し付けられることにより、発熱部７と銅製ブロック２５の温度差が250K程度まで低下し、熱接触が向上していることがわかる。
【００６５】
さらに、図１０における実施例１の結果から、カートリッジヒーター３に印加する最大の電流出力を2Aとし、銅製ブロック２５の温度を500K以下となるように制御すれば、カートリッジヒーター３の仕様温度の上限（約800℃）を越えることなく使用できることが示唆され、カートリッジヒーター３の断線のリスク低減と長寿命化が実現できることが示された。
【００６６】
（実施例２）
実施例２では、図１に示すヒーターユニット１を用いて実験を行った。ここで、ヒーターユニット１における金属製ブロック５としては、図１１に示す形状の銅製ブロック４９を用い、２つのヒーター挿入部９に２つのカートリッジヒーター３の発熱部７をそれぞれ挿入した。さらに、押付部材挿入部１３には、実施例１と同様、図９に示す形状の筒状楔子１７を挿入した。
【００６７】
実験は、図６に示す装置構成で行い、銅製ブロック４９の温度とヒーター抵抗値をそれぞれ求めた。その結果、カートリッジヒーター３を２つ挿入した場合であっても、筒状楔子１７により発熱部と金属製ブロックとの熱接触が向上し、実施例１と同等の結果が得られた。
【００６８】
さらに、ヒーターユニット１においても、銅製ブロック４９の温度が500Kとなるように制御することで、カートリッジヒーター３の仕様温度の上限を越えずに銅製ブロック４９を加熱できることが示された。これにより、本発明に係るヒーターユニットは、複数のカートリッジヒーターを銅製ブロックに挿入した場合であっても、カートリッジヒーター断線のリスク低減と長寿命化を実現できる。
【００６９】
（実施例３）
実施例２に係るヒーターユニット１を、図１２に示す装置５１に装着した状態で、筒状楔子１７の引き抜き、カートリッジヒーター３の交換が可能かどうかを検証した。装置５１は、冷凍機に用いられるものであって、一端側にフランジ５３が設けられた有底形状の外管５５と、フランジ５３を貫通して外管５５の内側に挿入されたSUS304製の保持パイプ５７とを有する二重管構造であり、保持パイプ５７は、その底部にヒーターユニット１が設置されると共に、内側に配管５９が挿入されている。
【００７０】
このような装置５１においては、ヒーターユニット１を狭い空間に取付けることを要する。しかし、ヒーターユニット１は、銅製ブロック４９に挿入された筒状楔子１７を拡径する楔子拡径部材１９を、筒状楔子１７の段差部１７ｆに相当する部位のみが螺合している状態とすることで、発熱部７に対する筒状楔子１７の押圧を軽減し、筒状楔子１７を引き抜くことができ、カートリッジヒーター３の交換をすることができた。
以上より、本発明に係るヒーターユニットにおいては、手が届かないような狭い場所に取付けられた場合であっても、筒状楔子を引き抜くことができ、カートリッジヒーターを交換できることが実証された。
【符号の説明】
【００７１】
１  ヒーターユニット
３  カートリッジヒーター
５  金属製ブロック
７  発熱部
７ａ  弧状面部
９  ヒーター挿入部
９ａ  湾曲面部
１１  ヒーター押付部材
１３  押付部材挿入部
１３ａ  湾曲面部
１５  孔部
１７  筒状楔子
１７ａ  切欠き部
１７ｂ  雌ねじ部
１７ｃ  平面部
１７ｄ  弧状面部
１７ｅ  挿入開始端
１７ｆ  段差部
１９  楔子拡径部材
１９ａ  雄ねじ部
２１  リード線
２３  ヒーターユニット
２５  銅製ブロック
２７  筒状楔子
２７ａ  切欠き部
２９  筒状楔子
２９ａ  切欠き部
３１  筒状楔子
３１ａ  切欠き部
３３  ヒーターユニット
３５  銅製ブロック
３７  ヒーター挿入部
４１  定電流電源装置
４３  電圧計
４５  温度センサー
４７  温度表示計
４９  銅製ブロック
５１  装置
５３  フランジ
５５  外管
５７  保持パイプ
５９  配管
【図１】
2020009689.tif 000003
【図２】
2020009689.tif 000004
【図３】
2020009689.tif 000005
【図４】
2020009689.tif 000006
【図５】
2020009689.tif 000007
【図６】
2020009689.tif 000008
【図７】
2020009689.tif 000009
【図８】
2020009689.tif 000010
【図９】
2020009689.tif 000011
【図１０】
2020009689.tif 000012
【図１１】
2020009689.tif 000013
【図１２】
2020009689.tif 000014